(57)【要約】【課題】画像情報と文字情報が一体となった電子付箋紙を処理する電子付箋紙処理システム，方法およびプログラムを提供する。【解決手段】電子付箋紙作成手段１１は、画像を表示装置２に表示し表示した画像から切り出した画像部を表示装置２のデスクトップ画面に貼り付け、画像部に隣接してタイトル部とメモ部とを設けて初期値を表示する。電子付箋紙編集手段１２は、電子付箋紙作成手段１１が作成した電子付箋紙の画像部またはタイトル部またはメモ部を個別に指定してメニューを起動し、起動したメニューから編集機能を選択して画像部またはタイトル部またはメモ部を個別に編集する。電子付箋紙管理手段１３は、管理ウインドウを表示装置２に表示し、管理ウインドウ内のタイトルウインドウに前記作成された電子付箋紙のタイトルを一覧表示する。【選択図】      図１
2004287559.tif 000002
【特許請求の範囲】
【請求項１】
画像を表示し表示した画像から切り出した画像部を表示装置のデスクトップ画面に貼り付け前記画像部に隣接してタイトル部とメモ部を付加し前記画像部と前記タイトル部と前記メモ部から成る文字情報と画像情報が一体となった電子付箋紙を作成する電子付箋紙作成手段と、
前記電子付箋紙作成手段が作成した電子付箋紙の前記画像部または前記タイトル部または前記メモ部を個別に指定してメニューを起動し起動したメニューから編集機能を選択して前記画像部または前記タイトル部または前記メモ部を個別に編集する電子付箋紙編集手段と、
管理ウインドウを表示装置に表示し前記管理ウインドウ内のタイトルウインドウに前記作成された電子付箋紙のタイトルを一覧表示して前記電子付箋紙の管理を行う電子付箋紙管理手段と、
前記電子付箋紙を表示する表示装置と、を備える電子付箋紙処理システム。
【請求項２】
前記電子付箋紙編集手段は、
前記タイトル部または前記画像部または前記メモ部の表示／非表示の切り替えを行う手段を有する、ことを特徴とする請求項１記載の電子付箋紙処理システム。
【請求項３】
前記電子付箋紙編集手段は、
前記タイトル部または前記メモ部の文字列の一部で最小化アイコンを形成し前記タイトル部または前記メモ部の最小化アイコンを表示する手段を有する、ことを特徴とする請求項１記載の電子付箋紙処理システム。
【請求項４】
前記電子付箋紙編集手段は、
前記画像部をサムネイル画像に変換して最小化アイコンを形成し前記画像部の最小化アイコンを表示する手段を有する、ことを特徴とする請求項１記載の電子付箋紙処理システム。
【請求項５】
前記電子付箋紙編集手段は、
前記最小化アイコンを元に復元して表示する手段を有する、ことを特徴とする請求項３または請求項４記載の電子付箋紙処理システム。
【請求項６】
前記電子付箋紙管理手段は、
前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する手段を有する、ことを特徴とする請求項１記載の電子付箋紙処理システム。
【請求項７】
前記電子付箋紙をファイルに保存する手段と、
前記保存したファイルから読み込んだ電子付箋紙で前記電子付箋紙を置き換える手段と、を有する、ことを特徴とする請求項１記載の電子付箋紙処理システム。
【請求項８】
電子付箋紙作成手段と電子付箋紙編集手段と電子付箋紙管理手段とを含む電子付箋紙処理装置と表示装置とを有するシステムにおける電子付箋紙処理方法であって、
前記電子付箋紙作成手段は、
画像を前記表示装置に表示し表示した画像から切り出した画像部を前記表示装置のデスクトップ画面に貼り付け、
前記画像部に隣接してタイトル部とメモ部とを設けて初期値を表示し、
前記電子付箋紙編集手段は、
前記電子付箋紙作成手段が作成した電子付箋紙の前記画像部または前記タイトル部または前記メモ部を個別に指定してメニューを起動し、
起動したメニューから編集機能を選択して前記画像部または前記タイトル部または前記メモ部を個別に編集し、
前記電子付箋紙管理手段は、
管理ウインドウを前記表示装置に表示し、
前記管理ウインドウ内のタイトルウインドウに前記作成された電子付箋紙のタイトルを一覧表示する、ことを特徴とする電子付箋紙処理方法。
【請求項９】
前記電子付箋紙編集手段は、
前記タイトル部または前記画像部または前記メモ部の表示／非表示の切り替えを行う、ことを特徴とする請求項８記載の電子付箋紙処理方法。
【請求項１０】
前記電子付箋紙編集手段は、
前記タイトル部または前記メモ部の文字列の一部で最小化アイコンを形成し前記タイトル部または前記メモ部の最小化アイコンを表示する、ことを特徴とする請求項８記載の電子付箋紙処理方法。
【請求項１１】
前記電子付箋紙編集手段は、
前記画像部をサムネイル画像に変換して最小化アイコンを形成し前記画像部の最小化アイコンを表示する、ことを特徴とする請求項８記載の電子付箋紙処理方法。
【請求項１２】
前記電子付箋紙編集手段は、
前記最小化アイコンを元に復元して表示する、ことを特徴とする請求項１０または請求項１１記載の電子付箋紙処理方法。
【請求項１３】
前記電子付箋紙管理手段は、
前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する、ことを特徴とする請求項８記載の電子付箋紙処理方法。
【請求項１４】
前記電子付箋紙をファイルに保存し、
前記保存したファイルから読み込んだ電子付箋紙で前記電子付箋紙を置き換える、ことを特徴とする請求項８記載の電子付箋紙処理方法。
【請求項１５】
電子付箋紙作成手段と電子付箋紙編集手段と電子付箋紙管理手段とを含む電子付箋紙処理装置と表示装置とを有するシステムにおける電子付箋紙処理プログラムであって、
コンピュータに、
前記電子付箋紙作成手段が、
画像を前記表示装置に表示し表示した画像から切り出した画像部を前記表示装置のデスクトップ画面に貼り付ける機能、
前記画像部に隣接してタイトル部とメモ部とを設けて初期値を表示する機能、
前記電子付箋紙編集手段が、
前記電子付箋紙作成手段が作成した電子付箋紙の前記画像部または前記タイトル部または前記メモ部を個別に指定してメニューを起動する機能、
起動したメニューから編集機能を選択して前記画像部または前記タイトル部または前記メモ部を個別に編集する機能、
前記電子付箋紙管理手段が、
管理ウインドウを前記表示装置に表示する機能、
前記管理ウインドウ内のタイトルウインドウに前記作成された電子付箋紙のタイトルを一覧表示する機能、を実現させるための電子付箋紙処理プログラム。
【請求項１６】
前記電子付箋紙編集手段が、
前記タイトル部または前記画像部または前記メモ部の表示／非表示の切り替えを行う機能、を実現させるための請求項１５記載の電子付箋紙処理プログラム。
【請求項１７】
前記電子付箋紙編集手段が、
前記タイトル部または前記メモ部の文字列の一部で最小化アイコンを形成し前記タイトル部または前記メモ部の最小化アイコンを表示する機能、を実現させるための請求項１５記載の電子付箋紙処理プログラム。
【請求項１８】
前記電子付箋紙編集手段が、
前記画像部をサムネイル画像に変換して最小化アイコンを形成し前記画像部の最小化アイコンを表示する機能、を実現させるための請求項１５記載の電子付箋紙処理プログラム。
【請求項１９】
前記電子付箋紙編集手段が、
前記最小化アイコンを元に復元して表示する機能、を実現させるための請求項１７または請求項１８記載の電子付箋紙処理プログラム。
【請求項２０】
前記電子付箋紙管理手段が、
前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する機能、を実現させるための請求項１５記載の電子付箋紙処理プログラム。
【請求項２１】
前記電子付箋紙をファイルに保存する機能、
前記保存したファイルから読み込んだ電子付箋紙で前記電子付箋紙を置き換える機能、を実現させるための請求項１５記載の電子付箋紙処理プログラム。
【発明の詳細な説明】
【０００１】
【発明の属する技術分野】
本発明は、電子付箋紙を処理する電子付箋紙処理システム，方法およびプログラムに関し、特に画像情報と文字情報が一体となった電子付箋紙を処理する電子付箋紙処理システム，方法およびプログラムに関する。
【０００２】
【従来の技術】
従来の画像付き電子付箋紙を操作するシステムの一例が、特許文献１に記載されている。
【０００３】
特許文献１に記載されたサムネイル画像情報操作システムでは、画像イメージ情報の一部を縮小したサムネイルと、サムネイルに関連づけられた付箋と、サムネイルと付箋を複数重ねて表示させる表示手段と、表示手段が表示させる付箋を指定させる付箋指定手段と、を備え、表示手段は付箋指定手段に指定された付箋に関連づけられたサムネイルを最前面に表示させている。
【０００４】
【特許文献１】
特開２０００−３３９３２７号公報
【０００５】
【発明が解決しようとする課題】
しかしながら、上述した従来の技術には、次のような問題点があった。
【０００６】
第１の問題点は、電子付箋紙の特に画像部が見づらくなることである。その理由は、画像と付箋情報を別々に持ち、デスクトップ上で複数重ねて扱うためである。
【０００７】
第２の問題点は、サムネイル画像を基に探す方法がわずらわしいことである。その理由は、画像を一覧できる機能がなく、文字情報だけで電子付箋紙を検索するためである。
【０００８】
本発明の目的は、上記の問題点を解決する画像付き電子付箋紙の表示及び管理プログラムを提供する。
【０００９】
【課題を解決するための手段】
本願第１の発明の電子付箋紙処理システムは、画像を表示し表示した画像から切り出した画像部を表示装置のデスクトップ画面に貼り付け前記画像部に隣接してタイトル部とメモ部を付加し前記画像部と前記タイトル部と前記メモ部から成る文字情報と画像情報が一体となった電子付箋紙を作成する電子付箋紙作成手段と、前記電子付箋紙作成手段が作成した電子付箋紙の前記画像部または前記タイトル部または前記メモ部を個別に指定してメニューを起動し起動したメニューから編集機能を選択して前記画像部または前記タイトル部または前記メモ部を個別に編集する電子付箋紙編集手段と、管理ウインドウを表示装置に表示し前記管理ウインドウ内のタイトルウインドウに前記作成された電子付箋紙のタイトルを一覧表示して前記電子付箋紙の管理を行う電子付箋紙管理手段と、前記電子付箋紙を表示する表示装置と、を備える。
【００１０】
本願第２の発明の電子付箋紙処理システムは、第１の発明において前記電子付箋紙編集手段は、前記タイトル部または前記画像部または前記メモ部の表示／非表示の切り替えを行う手段を有する。
【００１１】
本願第３の発明の電子付箋紙処理システムは、第１の発明において前記電子付箋紙編集手段は、前記タイトル部または前記メモ部の文字列の一部で最小化アイコンを形成し前記タイトル部または前記メモ部の最小化アイコンを表示する手段を有する。
【００１２】
本願第４の発明の電子付箋紙処理システムは、第１の発明において前記電子付箋紙編集手段は、前記画像部をサムネイル画像に変換して最小化アイコンを形成し前記画像部の最小化アイコンを表示する手段を有する。
【００１３】
本願第５の発明の電子付箋紙処理システムは、第３または第４の発明において前記電子付箋紙編集手段は、前記最小化アイコンを元に復元して表示する手段を有する。
【００１４】
本願第６の発明の電子付箋紙処理システムは、第１の発明において前記電子付箋紙管理手段は、前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する手段を有する。
【００１５】
本願第７の発明の電子付箋紙処理システムは、第１の発明において前記電子付箋紙をファイルに保存する手段と、前記保存したファイルから読み込んだ電子付箋紙で前記電子付箋紙を置き換える手段と、を有する。
【００１６】
本願第８の発明の電子付箋紙処理方法は、電子付箋紙作成手段と電子付箋紙編集手段と電子付箋紙管理手段とを含む電子付箋紙処理装置と表示装置とを有するシステムにおける電子付箋紙処理方法であって、前記電子付箋紙作成手段は、画像を前記表示装置に表示し表示した画像から切り出した画像部を前記表示装置のデスクトップ画面に貼り付け、前記画像部に隣接してタイトル部とメモ部とを設けて初期値を表示し、前記電子付箋紙編集手段は、前記電子付箋紙作成手段が作成した電子付箋紙の前記画像部または前記タイトル部または前記メモ部を個別に指定してメニューを起動し、起動したメニューから編集機能を選択して前記画像部または前記タイトル部または前記メモ部を個別に編集し、前記電子付箋紙管理手段は、管理ウインドウを前記表示装置に表示し、前記管理ウインドウ内のタイトルウインドウに前記作成された電子付箋紙のタイトルを一覧表示する、ことを特徴とする。
【００１７】
本願第９の発明の電子付箋紙処理方法は、第８の発明において前記電子付箋紙編集手段は、前記タイトル部または前記画像部または前記メモ部の表示／非表示の切り替えを行う、ことを特徴とする。
【００１８】
本願第１０の発明の電子付箋紙処理方法は、第８の発明において前記電子付箋紙編集手段は、前記タイトル部または前記メモ部の文字列の一部で最小化アイコンを形成し前記タイトル部または前記メモ部の最小化アイコンを表示する、ことを特徴とする。
【００１９】
本願第１１の発明の電子付箋紙処理方法は、第８の発明において前記電子付箋紙編集手段は、前記画像部をサムネイル画像に変換して最小化アイコンを形成し前記画像部の最小化アイコンを表示する、ことを特徴とする。
【００２０】
本願第１２の発明の電子付箋紙処理方法は、第１０または第１１の発明において前記電子付箋紙編集手段は、前記最小化アイコンを元に復元して表示する、ことを特徴とする。
【００２１】
本願第１３の発明の電子付箋紙処理方法は、第８の発明において前記電子付箋紙管理手段は、前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する、ことを特徴とする。
【００２２】
本願第１４の発明の電子付箋紙処理方法は、第８の発明において前記電子付箋紙をファイルに保存し、前記保存したファイルから読み込んだ電子付箋紙で前記電子付箋紙を置き換える、ことを特徴とする。
【００２３】
本願第１５の発明の電子付箋紙処理プログラムは、電子付箋紙作成手段と電子付箋紙編集手段と電子付箋紙管理手段とを含む電子付箋紙処理装置と表示装置とを有するシステムにおける電子付箋紙処理プログラムであって、コンピュータに、前記電子付箋紙作成手段が、画像を前記表示装置に表示し表示した画像から切り出した画像部を前記表示装置のデスクトップ画面に貼り付ける機能、前記画像部に隣接してタイトル部とメモ部とを設けて初期値を表示する機能、前記電子付箋紙編集手段が、前記電子付箋紙作成手段が作成した電子付箋紙の前記画像部または前記タイトル部または前記メモ部を個別に指定してメニューを起動する機能、起動したメニューから編集機能を選択して前記画像部または前記タイトル部または前記メモ部を個別に編集する機能、前記電子付箋紙管理手段が、管理ウインドウを前記表示装置に表示する機能、前記管理ウインドウ内のタイトルウインドウに前記作成された電子付箋紙のタイトルを一覧表示する機能、を実現させる。
【００２４】
本願第１６の発明の電子付箋紙処理プログラムは、第１５の発明において前記電子付箋紙編集手段が、前記タイトル部または前記画像部または前記メモ部の表示／非表示の切り替えを行う機能、を実現させる。
【００２５】
本願第１７の発明の電子付箋紙処理プログラムは、第１５の発明において前記電子付箋紙編集手段が、前記タイトル部または前記メモ部の文字列の一部で最小化アイコンを形成し前記タイトル部または前記メモ部の最小化アイコンを表示する機能、を実現させる。
【００２６】
本願第１８の発明の電子付箋紙処理プログラムは、第１５の発明において前記電子付箋紙編集手段が、前記画像部をサムネイル画像に変換して最小化アイコンを形成し前記画像部の最小化アイコンを表示する機能、を実現させる。
【００２７】
本願第１９の発明の電子付箋紙処理プログラムは、第１７または第１８の発明において前記電子付箋紙編集手段が、前記最小化アイコンを元に復元して表示する機能、を実現させる。
【００２８】
本願第２０の発明の電子付箋紙処理プログラムは、第１５の発明において前記電子付箋紙管理手段が、前記タイトルウインドウに一覧表示されているタイトルの中から選択されたタイトルに対応する電子付箋紙の、画像を管理ウインドウ内の画像ウインドウに、メモを管理ウインドウ内のメモウインドウに、表示する機能、を実現させる。
【００２９】
本願第２１の発明の電子付箋紙処理プログラムは、第１５の発明において前記電子付箋紙をファイルに保存する機能、前記保存したファイルから読み込んだ電子付箋紙で前記電子付箋紙を置き換える機能、を実現させる。
【００３０】
【発明の実施の形態】
本発明は、電子付箋紙プログラムにおいて、文字情報と画像情報が一体になった電子付箋紙を扱い、マウスのダブルクリックなど簡単な操作で最小化したり復元することで、画像付き電子付箋紙の操作が容易になり、最小化表示によりデスクトップのスペースを効率よく利用できる構成を提供するものである。また、本発明は、画像付き電子付箋紙を画像の一覧が可能な管理ウインドウで一括管理することで、デスクトップ上の表示／非表示や画像を基にした検索を容易に行える構成を提供するものである。
【００３１】
本発明の実施の形態について、図面を参照して詳細に説明する。
図１は、本発明の実施の形態の構成を示すブロック図である。
図２は、電子付箋紙の構成を説明する図である。
図３は、電子付箋紙の表示メニューを説明する図である。
図４は、電子付箋紙の最小化アイコンを説明する図である。
図５は、管理ウインドウを説明する図である。
【００３２】
図１を参照すると、本発明の実施の形態は、電子付箋紙の作成／編集／管理を司る処理装置１と、電子付箋紙を表示するディスプレイ等の表示装置２と、を備えている。
【００３３】
処理装置１は、プログラム制御で動作するパーソナルコンピュータ等の情報処理装置であり、画像部とタイトル部とメモ部から成り文字情報と画像情報が一体となった画像付きの電子付箋紙を作成する電子付箋紙作成手段１１と、電子付箋紙作成手段１１が作成した電子付箋紙を編集する電子付箋紙編集手段１２と、電子付箋紙を管理する電子付箋紙管理手段１３と、を有している。処理装置１は、電子付箋紙の画像部とタイトル部とメモ部を、別々の３個のウインドウとして管理する。
【００３４】
電子付箋紙作成手段１１は、画像部とタイトル部とメモ部から成る電子付箋紙を作成する。タイトル部は画像部のタイトルであり、メモ部は画像部を説明するメモである。電子付箋紙作成手段１１は、電子付箋紙の元となる画像を入力して表示装置２に表示し、表示した画像からポインティングデバイス（図示せず）の操作（例えば、マウスの左ドラッグ等の操作）で切り出し、切り出したキャプチャ画像を表示装置２のデスクトップ画面に貼付する。デスクトップ画面に貼付したキャプチャ画像が電子付箋紙の画像部となる。また、電子付箋紙作成手段１１は、電子付箋紙の画像部の上部にタイトル部を設け、タイトルを構成する文字列の初期値（例えば、画像部を作成した日時）を表示する。また、電子付箋紙の画像部の下部にメモ部を設け、メモを構成する文字列の初期値（例えば、空白文字列）を表示する。図２に作成した電子付箋紙の例を示す。図２を参照すると、電子付箋紙４はタイトル部４１と画像部４２とメモ部４３とから成っている。
【００３５】
また、タイトル部およびメモ部は、画像部に隣接する他の箇所に設けるようにしてもよい。
【００３６】
なお、作成された電子付箋紙は、メモリや磁気ディスク等の記憶手段（図示せず）に保持される。タイトル部やメモ部についてはその内容であるテキスト情報を、画像部についてはその内容である画像情報（例えばｂｍｐ情報）を、保持する。
【００３７】
電子付箋紙編集手段１２は、電子付箋紙作成手段１１が作成した電子付箋紙の編集を行う。電子付箋紙編集手段１２は、タイトル編集部と、画像編集部と、メモ編集部と、を含んでいる。後述する表示／非表示および最小化を除いて、電子付箋紙編集手段１２で編集された結果は記憶手段（図示せず）に保持される電子付箋紙に反映される。
【００３８】
タイトル編集部は、表示装置２に表示された電子付箋紙のタイトル部を編集する。タイトル編集部は、タイトル部からメニューを起動して機能を選択する。例えば、タイトル部をポインティングデバイス（図示せず）で指定する（例えば、マウスでポイントして右クリックする）ことにより、メニューを表示する。メニューから、「文字の編集」（タイトル部に表示されている文字列をキーボード（図示せず）等から文字を入力して編集する）、「表示／非表示」（タイトル部の非表示への切り替え等）、「最小化」（タイトル部の最小化アイコンへの変換）、などの機能を選択し、選択した機能を実行する。図３に、タイトル部編集メニュー５１１が例示されている。
【００３９】
図３のタイトル部５１は、「文字の編集」を選択し、初期値を”風景その１”に編集したものである。
【００４０】
タイトル部が表示されている状態で「表示／非表示」から非表示を選択すると、タイトル部の表示が非表示に切り替り、タイトル部の表示が画面上から消える。
【００４１】
「最小化」を選択すると、タイトル部の文字列の一部（例えば、先頭からの５文字）が最小化アイコンとしてデスクトップ画面の端に表示される。図４に、タイトル部最小化アイコン６１１が例示されている。最小化アイコンは、マウスのダブルクリックなどの操作で、元のタイトル部に復元する。復元は、記憶手段（図示せず）に保持されているタイトル部のテキスト情報を読み出して表示することにより行われる。
【００４２】
画像編集部は、表示装置２に表示された電子付箋紙の画像部を編集する。画像編集部は、画像部からメニューを起動して機能を選択する。例えば、画像部をマウスでポイントして右クリックすることにより、メニューを表示する。メニューから、「表示／非表示」（画像部の非表示への切り替え等）、「拡大／縮小」（画像部の拡大／縮小）、「最小化」（画像部の最小化アイコンへの変換）、「削除」（画像部の削除）、などの機能を選択し、選択した機能を実行する。図３に、画像部編集メニュー５２１が例示されている。
【００４３】
「最小化」を選択すると、画像部がサムネイル画像に変換され最小化アイコンとしてデスクトップ画面の端に表示される。図４に、画像部最小化アイコン６２１が例示されている。最小化アイコンは、マウスのダブルクリックなどの操作で、元の画像部に復元する。復元は、記憶手段（図示せず）に保持されている画像部の画像情報を読み出して表示することにより行われる。
【００４４】
画像部が表示されている状態で「表示／非表示」から非表示を選択すると、画像部の表示が非表示に切り替り、画像部の表示が画面上から消える。
【００４５】
メモ編集部は、表示装置２に表示された電子付箋紙のメモ部を編集する。メモ編集部は、メモ部からメニューを起動して機能を選択する。例えば、メモ部をマウスでポイントして右クリックすることにより、メニューを表示する。メニューから、「文字の編集」（メモ部に表示されている文字列をキーボード（図示せず）等から文字を入力して編集する）、「表示／非表示」（メモ部の非表示への切り替え等）、「最小化」（メモ部の最小化アイコンへの変換）、「削除」（メモ部の削除）、などの機能を選択し、選択した機能を実行する。図３に、メモ部編集メニュー５３１が例示されている。
【００４６】
図３のメモ部５３は、「文字の編集」を選択し、初期値を”これは○○で有名な○○山の写真です。”に編集したものである。
【００４７】
「最小化」を選択すると、メモ部の文字列の一部が最小化アイコンとしてデスクトップ画面の端に表示される。図４に、メモ部最小化アイコン６３１が例示されている。最小化アイコンは、マウスのダブルクリックなどの操作で、元のメモ部に復元する。復元は、記憶手段（図示せず）に保持されているメモ部のテキスト情報を読み出して表示することにより行われる。
【００４８】
メモ部が表示されている状態で「表示／非表示」から非表示を選択すると、メモ部の表示が非表示に切り替り、メモ部の表示が画面上から消える。
【００４９】
上述した「表示／非表示」の切り替えについて、より具体的に説明する。タイトル部，画像部およびメモ部の編集メニューの「表示／非表示」には、「表示→非表示」と「非表示→表示」のサブメニューが存在し、「表示→非表示」を選択すると表示状態が非表示状態となる。非表示状態を表示状態に戻す場合には、タイトル部，画像部あるいはメモ部のうちで表示されているいずれかの部のメニューで「表示／非表示」から「非表示→表示」と選択することにより、非表示となっている部を表示状態にする。非表示状態からの表示は、記憶手段（図示せず）に保持されている該当部の情報を読み出して表示することにより行われる。タイトル部と画像部とメモ部の全てが非表示状態の場合は、後述する管理ウインドウを使用して表示状態に戻すことができる。
【００５０】
電子付箋紙管理手段１３は、管理ウインドウを表示装置２に表示し、作成されデスクトップ上に散在する電子付箋紙を管理する。管理ウインドウの例を図５に示す。電子付箋紙管理手段１３は、管理ウインドウ７内のタイトルウインドウ７２に電子付箋紙のタイトルを一覧表示し、選択されたタイトルに対応する電子付箋紙に対する処理を行う。
【００５１】
すなわち、タイトルウインドウ７２に一覧表示されているタイトルの中からタイトルを選択して、メニューバー７１にある電子付箋紙削除ボタン７６を指定することにより、選択された電子付箋紙を削除する。なお、タイトルの選択は、例えばマウスの左クリック等で行う。
【００５２】
タイトルウインドウ７２に一覧表示されているタイトルの中からタイトルを選択して、メニューバー７１にある電子付箋紙表示／非表示切替ボタン７５を指定することにより、選択された電子付箋紙の表示／非表示を切り替える。電子付箋紙表示／非表示切替ボタン７５は、「表示→非表示」と「非表示→表示」のサブメニューを有し、「表示→非表示」を選択すると非表示状態となり、「非表示→表示」を選択すると表示状態となる。表示と非表示を切り替えるときに、タイトル部、画像部、メモ部を個別に切り替えることもできるし、３つの部を一緒に切り替えることもできる。
【００５３】
また、メニューバーのボタンの替わりに、タイトル一覧から選んだタイトルの右クリックなどで「削除」や「表示／非表示」のメニューを表示し、選択させるようにしてもよい。
【００５４】
また、電子付箋紙管理手段１３は、管理ウインドウ７内のメニューバー７１にあるフォルダ作成ボタン７７を指定することにより、タイトルウインドウ７２内に新たなフォルダを作成する。これにより、電子付箋紙の個別管理や画像を基にした検索を容易に行うことができる。
【００５５】
また、電子付箋紙管理手段１３は、タイトルウインドウ７２に一覧表示されているタイトルの中から選択されたタイトルに対応する電子付箋紙の、画像を管理ウインドウ７内の画像ウインドウ７３に、メモを管理ウインドウ７内のメモウインドウ７４に、表示する。なお、タイトルの選択は、例えばマウスのダブルクリック等で行う。
【００５６】
ここで、図３〜図５について、より詳細に説明する。
【００５７】
図３を参照すると、本実施例で作成される電子付箋紙は、タイトル部５１と画像部５２とメモ部５３とから構成されている。
【００５８】
図４を参照すると、本実施例により作成された最小化アイコン群がデスクトップ６に表示されている。
【００５９】
最小化アイコン６１１は、タイトル部５１の最小化アイコンである。
【００６０】
最小化アイコン６１２には、山の風景を表すタイトルが表示されている。
【００６１】
最小化アイコン６２１には、画像部５２のサムネイル画像が表示されている。
【００６２】
最小化アイコン６３１には、メモ部５３に記入されているコメントの内容の一部が表示されている。
【００６３】
最小化アイコン６３２には、画像が付かないメモのコメントが表示されている。
【００６４】
最小化アイコン６１３には、画像が初めて作成された時のデフォルトのタイトルが表示されており、キャプチャが行われた日付になっている。
【００６５】
最小化アイコン６１４には、ブラウザに表示されたニュース記事などからキャプチャされた画像を表すタイトルが表示されている。
【００６６】
最小化アイコン６１５には、図形プロセッサなど他のアプリケーションソフトで作成した図面をキャプチャした画像を表すタイトルが表示されている。
【００６７】
図５を参照すると、本実施例により作成された電子付箋紙は管理ウインドウ７により管理される。
【００６８】
タイトルウインドウ７２には、最小化されたタイトルのリストが表示されており、フォルダ管理が行えるようになっている。
【００６９】
画像ウインドウ７３には、タイトルウインドウ７２で指定されたタイトルに対応する画像が表示されている。
【００７０】
メモウインドウ７４には、タイトルウインドウ７２で指定されたタイトルに対応するメモの内容が表示されている。
【００７１】
メニューバー７１には、タイトルウインドウ７２で指定されたタイトルに対応する電子付箋紙のデスクトップ上の表示／非表示を切り替える電子付箋紙表示／非表示切替ボタン７５，タイトルウインドウ７２で指定されたタイトルに対応する電子付箋紙の削除を行う電子付箋紙削除ボタン７６およびタイトルウインドウ７２内にフォルダを作成するフォルダ作成ボタン７７が配置されている。
【００７２】
次に、本発明の実施の形態の動作について、図３〜図５を参照して詳細に説明する。
【００７３】
図３において、マウスの左ドラッグ等の操作を使って切り出したキャプチャ画像が画像部５２としてデスクトップに貼付されている。ここで、切り出されるキャプチャ画像の形状は、矩形（四角形）に限らず、円形や多角形など様々な形状であっても構わない。
【００７４】
画像部５２に隣接する形で画像のタイトル部５１および画像の内容を説明するメモ部５３を付加し、文字情報と画像情報が一体となった画像付きの電子付箋紙５として扱う。
【００７５】
電子付箋紙５はデスクトップ上に複数枚作成することができ、マウス等のポインティングデバイスによって任意の位置に移動させることができる。タイトル部，画像部あるいはメモ部のいずれかをポイントして移動することにより、他の２つの部も連なって移動する。
【００７６】
画像部５２は、編集メニュー５２１から機能を選択することで、デスクトップ上の表示／非表示を切り替えたり、拡大／縮小して表示させたり、画像のみを削除することができる。
【００７７】
タイトル部５１は、編集メニュー５１１から機能を選択することで、文字の編集、デスクトップ上の表示／非表示の切り替え、などができる。
【００７８】
メモ部５３は、編集メニュー５３１から機能を選択することで、文字の編集ができたり、デスクトップ上の表示／非表示を切り替えたり、メモのみ削除することができる。
【００７９】
また、タイトル部５１および画像部５２およびメモ部５３は、それぞれ編集メニュー５１１および編集メニュー５２１および編集メニュー５３１から機能を選択することで、各部の文字列の一部またはサムネイル画像に変換されて、電子付箋紙５の最小化アイコンとしてデスクトップの端に積み重ねられる。最小化された電子付箋紙５のアイコン表示例を図４に示す。なお、最小化をメニューによらず、ダブルクリックなどマウスの簡単な操作で行うこともできる。
【００８０】
図４において、デスクトップ６の右下角から上方に向けて電子付箋紙の最小化アイコンが積まれている。
【００８１】
最小化アイコン６１１および最小化アイコン６１２は、風景画像をキャプチャした電子付箋紙をタイトルの文字情報で最小化したものである。
【００８２】
最小化アイコン６３２は、アイデアをメモ書きした、画像が付かない電子付箋紙から作成したメモの最小化アイコンである。
【００８３】
最小化アイコン６１４および最小化アイコン６１５は、Ｗｅｂブラウザの表示情報のタイトルおよび図形プロセッサで書いたビジネス用ドキュメント図面のタイトルから作成した電子付箋紙の最小化アイコンである。
【００８４】
最小化アイコン６１３も、タイトルの文字情報で最小化したものだが、電子付箋紙が作成された直後に画像に付加されるデフォルトのタイトルであり、図４の例ではキャプチャが行われた日付が入力されている。
【００８５】
最小化アイコン６２１は、電子付箋紙のキャプチャ画像をサムネイル化した画像である。
【００８６】
最小化アイコン６３１は、電子付箋紙をメモの文字情報の一部で最小化したものである。
【００８７】
図４の各最小化アイコンは、マウスのダブルクリックなどの操作で簡単に元の電子付箋紙として復元できるものとする。この時、電子付箋紙の位置、大きさ、表示内容も元の通りに復元される。また、これらの最小化アイコンは、他の作業の邪魔にならないようなデスクトップ上の任意の位置に積まれても良い。
【００８８】
図５において、管理ウインドウ７はデスクトップ上に散在する電子付箋紙の管理を行う機能であり、タイトルウインドウ７２は、全ての電子付箋紙のタイトルをフォルダ管理できる部分ウインドウである。タイトルウインドウ７２からタイトルを選択すると、画像ウインドウ７３およびメモウインドウ７４に電子付箋紙の画像情報とメモの文字情報が個別に表示される。
【００８９】
管理ウインドウ７のメニューバー７１には機能ボタンが付いていて、タイトルウインドウ７２で選んだタイトルに対応する電子付箋紙に対する処理を行う。電子付箋紙表示／非表示切替ボタン７５は、電子付箋紙の表示／非表示を切り替える。電子付箋紙削除ボタン７６は、電子付箋紙の削除を行う。フォルダ作成ボタン７７は、タイトルウインドウ７２にフォルダを作成する。管理ウインドウ７を使うことで、デスクトップ上の電子付箋紙の個別管理が行いやすくなる。
【００９０】
以上説明したように、画像付きの電子付箋紙の操作が容易になり、最小化表示によりデスクトップのスペースを効率よく利用できるようになる。
【００９１】
次に、本発明の他の実施の形態について図面を参照して詳細に説明する。
図６は、本発明の他の実施の形態を説明する図である。
【００９２】
図６において、電子付箋紙８がタイトル部８１および画像部８２およびメモ部８３から構成されている。
【００９３】
電子付箋紙８に対し、マウスの右クリックなど簡単な操作によりメニュー８４が起動される。メニュー８４の機能を使うと、電子付箋紙８の文字情報（タイトルやメモ）および画像情報を個別にあるいは一括してクリップボード９１やファイル９２に保存することができる。ここで、画像情報の保存形式としては、ＪＰＥＧやＰＮＧ等のよく利用されている圧縮形式をユーザに選択させても良い。また、メニュー８４の機能を使うと、文字情報（タイトルやメモ）および画像情報を個別にあるいは一括してプリンタ９３に印刷することができる。また、メニュー８４の機能を使うと、クリップボード９１やファイル９２に保存されている文字情報（タイトルやメモ）や画像情報を読み込んで、新規に電子付箋紙を作成したり、既存の電子付箋紙に置き換えることができる。
【００９４】
本発明による上述した実施の形態において、電子付箋紙処理システムの処理動作を実行するためのプログラム等を、データとしてコンピュータの磁気ディスクや光ディスク等の記録媒体（図示せず）に記録するようにし、記録されたデータを読み出して電子付箋紙処理システムを動作させるために用いる。このように、本発明による電子付箋紙処理システムを動作させるデータを記録媒体に記録させ、この記録媒体をインストールすることにより電子付箋紙処理システムの機能が実現できるようになる。
【００９５】
【発明の効果】
第１の効果は、画像付きの電子付箋紙の操作が容易になり、最小化表示によりデスクトップのスペースを効率よく利用できることにある。
【００９６】
その理由は、文字情報と画像情報が一体になった電子付箋紙を扱い、マウスのダブルクリックなど簡単な操作で最小化したり復元することができるためである。
【００９７】
第２の効果は、画像付き電子付箋紙の管理が容易になることである。
【００９８】
その理由は、電子付箋紙を一覧できる管理ウインドウを持ち、デスクトップ上の表示／非表示、削除などをフォルダ形式で一括管理できるためである。
【図面の簡単な説明】
【図１】本発明の実施の形態の構成を示すブロック図
【図２】電子付箋紙の構成を説明する図
【図３】電子付箋紙の表示メニューを説明する図
【図４】電子付箋紙の最小化アイコンを説明する図
【図５】管理ウインドウを説明する図
【図６】本発明の他の実施の形態を説明する図
【符号の説明】
１    処理装置
２    表示装置
４    電子付箋紙
５    電子付箋紙
６    デスクトップ
７    管理ウインドウ
８    電子付箋紙
１１    電子付箋紙作成手段
１２    電子付箋紙編集手段
１３    電子付箋紙管理手段
４１    タイトル部
４２    画像部
４３    メモ部
５１    タイトル部
５２    画像部
５３    メモ部
７１    メニューバー
７２    タイトルウインドウ
７３    画像ウインドウ
７４    メモウインドウ
７５    電子付箋紙表示／非表示切替ボタン
７６    電子付箋紙削除ボタン
７７    フォルダ作成ボタン
８１    タイトル部
８２    画像部
８３    メモ部
８４    メニュー
９１    クリップボード
９２    ファイル
９３    プリンタ
５１１    タイトル部編集メニュー
５２１    画像部編集メニュー
５３１    メモ部編集メニュー
６１１    最小化アイコン
６１２    最小化アイコン
６１３    最小化アイコン
６１４    最小化アイコン
６１５    最小化アイコン
６２１    最小化アイコン
６３１    最小化アイコン
６３２    最小化アイコン
【図１】
2004287559.tif 000003
【図２】
2004287559.tif 000004
【図３】
2004287559.tif 000005
【図４】
2004287559.tif 000006
【図５】
2004287559.tif 000007
【図６】
2004287559.tif 000008